(57)【要約】【課題】電気かみそりの本体に刃ヘッド部を装着して電気かみそりを駆動した状態で水洗いあるいは洗浄液を用いた洗浄によって確実にかつ容易に、刃ヘッド部および毛屑の収納部を洗浄することを可能にする。【解決手段】内刃を回転駆動した状態で刃ヘッド部を水洗いあるいは洗浄液を用いて洗浄可能に設けられた回転式電気かみそりにおいて、前記内刃に係合して内刃を回転駆動する駆動軸１４に、刃ヘッド部に浸漬された液体を撹拌して、刃ヘッド部から毛屑を外部に排出させる撹拌羽根１５ｂが設けられていることを特徴とする。【選択図】          図１
2004329479.tif 000002
【特許請求の範囲】
【請求項１】
内刃を回転駆動した状態で刃ヘッド部を水洗いあるいは洗浄液を用いて洗浄可能に設けられた回転式電気かみそりにおいて、
前記内刃に係合して内刃を回転駆動する駆動軸に、刃ヘッド部に浸漬された液体を撹拌して、刃ヘッド部から毛屑を外部に排出させる撹拌羽根が設けられていることを特徴とする回転式電気かみそり。
【請求項２】
撹拌羽根が、刃ヘッド部に浸漬された液体に対して、刃ヘッド部の内側から外側へ向かう流れを生じさせる向きに設けられていることを特徴とする請求項１記載の回転式電気かみそり。
【請求項３】
撹拌羽根が、毛屑を収納する収納部の底面に近接して設けられていることを特徴とする請求項１または２記載の回転式電気かみそり。
【請求項４】
刃ヘッド部には、外刃枠に脱着可能に設けられた刃押さえ板に支持された内刃と、内刃を介して支持された外刃とが装着され、
電気かみそりの本体には、前記刃ヘッド部が脱着される刃受け台が設けられ、該刃受け台の底面から電気かみそりの本体に対して水密に駆動軸が突出して設けられていることを特徴とする請求項１、２または３記載の回転式電気かみそり。
【請求項５】
駆動軸が、刃ヘッド部を刃受け台に装着した際に内刃に係合して内刃とともに一体回転する嵌合軸と、該嵌合軸と一体回転可能に外面に撹拌羽根が設けられたパドル体とを備えていることを特徴とする請求項４記載の回転式電気かみそり。
【発明の詳細な説明】
【０００１】
【発明の属する技術分野】
本発明は回転式電気かみそりに関し、より詳細には電気かみそりを駆動した状態で洗浄液、水等に刃ヘッド部を浸漬して、刃ヘッド部に取り込まれた毛屑を刃ヘッド部から外部に排出して刃ヘッド部および毛屑の収納部を洗浄可能とした回転式電気かみそりに関する。
【０００２】
【従来の技術】
電気かみそりには、外刃と内刃とを備える刃ヘッド部と刃ヘッド部の内側の毛屑の収納部とを水洗いあるいは洗浄液を用いて洗浄できるように設けられている製品がある。電気かみそりを洗浄する方法には、刃ヘッド部を電気かみそりの本体から外して電気かみそりを駆動しない状態で洗浄する方法と、刃ヘッド部を電気かみそりの本体に装着した状態で電気かみそりを駆動しながら洗浄する方法がある。刃ヘッド部を電気かみそりの本体から外して洗浄する場合は、流水等で毛屑を洗い流すことが可能であるが、刃ヘッド部を電気かみそりの本体に装着した状態で洗浄する場合は、毛屑を刃ヘッド部から外部に排出しやすくして洗浄することが必要になる。
【０００３】
図６は、３個の回転刃を備える回転式電気かみそりの例で、電気かみそりの本体１０の上部に刃受け台１２が設けられ、刃受け台１２に脱着可能に刃ヘッド部２０が設けられているものである。
刃受け台１２は毛屑を収納可能とするため凹部状に形成され、刃受け台１２の内底面から内刃を駆動する３個の駆動軸１４が突出するように設けられている。
刃ヘッド部２０には３個の外刃２２と、これらの外刃の各々に摺合する内刃が設けられている。刃受け台１２の内底面から突出する駆動軸１４は刃ヘッド部２０を本体１０に装着した際に、内刃と各々嵌合し、電気かみそりを駆動した際に内刃を回転駆動する。したがって、刃ヘッド部２０を電気かみそりの本体１０から外して洗浄する場合は、図のように刃ヘッド部２０を電気かみそりの本体１０から外すことによって、簡単に刃受け台１２に溜まった毛屑を排出して洗浄することができる。
【０００４】
【特許文献１】
特開平７−１２４３４７号公報
【特許文献２】
特開平９−１２２３６３号公報
【特許文献１】
特開２００１−１９８３６７号公報
【０００５】
【発明が解決しようとする課題】
図５は上述した電気かみそりを駆動した状態で洗浄する方法を示す。５０が洗浄液５２を貯溜した洗浄槽であり、この洗浄槽５０に刃ヘッド部２０を下向きにして刃ヘッド部２０を洗浄液中に浸漬させ、電気かみそりを駆動させて洗浄する。
刃受け台１２の内底面と刃ヘッド部２０との間は、毛屑を収納する空間になっており、この空間に取り込まれた毛屑は、内刃２３および駆動軸１４が回転することによって生じる洗浄液の流れの作用によって、毛屑が収納されている空間から外刃２２に設けられているスリット孔を経由して洗浄槽５０に排出される。
【０００６】
しかしながら、図５に示すように、洗浄槽５０の中で単に内刃２３を回転させて洗浄する方法の場合は、内刃２３の近くで洗浄液が撹拌されるだけで、内刃２３と内刃２３の近傍部分は洗浄できるが、毛屑が収納されている空間部分から毛屑を効果的に外部に排出させることができない。このため、洗浄槽５０を用いて刃ヘッド部２０を洗浄した後に、刃ヘッド部２０を本体１０から外して、ブラシ等を用いて刃受け台１２等を洗浄するといったことが必要になる。
【０００７】
そこで、本発明は、これらの課題を解決すべくなされたものであり、その目的とするところは、電気かみそりの本体に刃ヘッド部を装着して電気かみそりを駆動した状態で水洗いあるいは洗浄液を用いた洗浄操作により効果的に毛屑を排出させることができ、これによって容易に洗浄操作を行うことができるとともに、電気かみそりを清潔に保つことができる回転式電気かみそりを提供しようとするものである。
【０００８】
【課題を解決するための手段】
上記目的を達成するため、本発明は次の構成を備える。
すなわち、内刃を回転駆動した状態で刃ヘッド部を水洗いあるいは洗浄液を用いて洗浄可能に設けられた回転式電気かみそりにおいて、前記内刃に係合して内刃を回転駆動する駆動軸に、刃ヘッド部に浸漬された液体を撹拌して、刃ヘッド部から毛屑を外部に排出させる撹拌羽根が設けられていることを特徴とする。
また、前記撹拌羽根が、刃ヘッド部に浸漬された液体に対して、刃ヘッド部の内側から外側へ向かう流れを生じさせる向きに設けられていることを特徴とする。これによって刃ヘッド部の内側に溜まった毛屑が好適に外部に排出される。
また、前記撹拌羽根が、毛屑を収納する収納部の底面に近接して設けられていることにより、洗浄液の流れによって収納部の底面や壁面に付着している毛屑を剥がすようにして取り除くことができ、これによって毛屑を刃ヘッド部の外部に排出することができる。
【０００９】
また、前記刃ヘッド部には、外刃枠に脱着可能に設けられた刃押さえ板に支持された内刃と、内刃を介して支持された外刃とが装着され、電気かみそりの本体には、前記刃ヘッド部が脱着される刃受け台が設けられ、該刃受け台の底面から電気かみそりの本体に対して水密に駆動軸が突出して設けられていることを特徴とする。
また、前記駆動軸が、刃ヘッド部を刃受け台に装着した際に内刃に係合して内刃とともに一体回転する嵌合軸と、該嵌合軸と一体回転可能に外面に撹拌羽根が設けられたパドル体とを備えていることを特徴とする。
【００１０】
【発明の実施の形態】
以下、本発明に係る回転式電気かみそりのの好適な実施の形態について詳細に説明する。
本実施形態の回転式電気かみそりにおいて特徴的な構成は、刃受け台１２の底面１２ａから突出させて設けている駆動軸１４の構成にある。図１は、回転式電気かみそりの本体１０を刃受け台１２の正面方向から見た状態を示す。刃受け台１２の正面形状は、コーナー部が湾曲した三角形状に形成され、駆動軸１４、１４、１４は刃受け台１２の正面形状に合わせて、正三角形の頂点位置にそれぞれ配置されている。
【００１１】
駆動軸１４は電気かみそりの本体１０に内蔵されている電動モータに連繋して設けられており、スイッチ操作によって電動モータがＯＮとなった際に、駆動軸１４は軸線の回りに回転駆動される。
図２に駆動軸１４の組立斜視図（図２（ａ））と組立後の駆動軸１４の斜視図（図２（ｂ））を示す。図２（ａ）に示すように、本実施形態においては、駆動軸１４はパドル体１５と、嵌合軸１６と、刃押し上げスプリング１７と、駆動軸受け１８とから形成されている。
【００１２】
パドル体１５は円筒体状に形成された部材であり、上部に嵌合軸１６と係合して嵌合軸１６とともに軸線の回りで一体回転させるための係合部１５ａが設けられている。係合部１５ａが内方に庇状に突出して設けられているのは嵌合軸１６を軸線方向には可動とし、かつ抜け止めさせるためであり、周方向に均等間隔で３個所の切欠が設けられているのは、この切欠に嵌合軸１６が係合して嵌合軸１６とともにパドル体１５が軸線の回りで一体回転するように設けるためである。
嵌合軸１６はパドル体１５に対して軸線方向に可動であるが、パドル体１５に対して突き出し位置まで突出した際には係合部１５ａに係合して、嵌合軸１６とパドル体１５が軸線の回りで一体回転するようになる。
【００１３】
このパドル体１５においてもっとも特徴的な構成は、円筒体状に形成された外面に均等間隔で３個の撹拌羽根１５ｂが設けられていることである。撹拌羽根１５ｂは水あるいは洗浄液を用いて電気かみそりを洗浄する際に、駆動軸１４が回転することによって毛屑を収納している内部空間から、刃ヘッド部２０の外方に向かう液体の流れを積極的に起こさせるようにするためのものである。撹拌羽根１５ｂは駆動軸１４の回転によってこのような外向きの流れが生じる向きとなるようにその撹拌羽根の形状が設計されている。
【００１４】
本実施形態ではパドル体１５の基部側（刃受け台１２の底面に近い側）に撹拌羽根１５ｂを設けている。これは、刃受け台１２の底面に近い側から流体の流れを発生させるようにして、刃受け台１２の底面に付着している毛屑であっても取り除きやすくするためである。
また、本実施形態では円筒体の外周面に撹拌羽根１５ｂを均等間隔で３個設けているが、撹拌羽根１５ｂの配置数は適宜選択することができる。
【００１５】
図２において、嵌合軸１６は細い軸状に形成された部材であり、先端部が刃ヘッド部２０に装着されている内刃と嵌合する嵌合部１６０に形成され、基部側にパドル体１５の係合部１５ａと係合する係合部１６ａが形成されている。嵌合軸１６は図のようにパドル体１５の下方からパドル体１５に挿入するようにして組み立てる。
刃押し上げスプリング１７は、駆動軸１４を電気かみそりの本体と連繋して組み立てる際に嵌合軸１６の下面に当接するように配置される。刃押し上げスプリング１７は嵌合軸１６を常時は突出する方向に付勢した状態で支持するためのものである。内刃および外刃はこの刃押し上げスプリング１７を介して嵌合軸１６によってフローティングした状態で支持される。
【００１６】
駆動軸受け１８は嵌合軸１６を内挿するようにして、パドル体１５に挿入して組立てられる。駆動軸受け１８と嵌合軸１６とは軸線方向には可動自在であり、軸線の回りには一体回転するように設けられている。嵌合軸１６は刃押し上げスプリング１７によってフローティングして支持されているから、嵌合軸１６は軸線方向のどの位置にあっても内刃を回転する駆動機構と連繋している必要がある。駆動軸受け１８と嵌合軸１６とは軸線方向のどの位置にあっても軸線の回りには一体回転することによって駆動機構との連繋が保たれる。
【００１７】
これらのパドル体１５と、嵌合軸１６と、刃押し上げスプリング１７と、駆動軸受け１８とを組み合わせて図２（ｂ）に示す駆動軸１４が組み立てられる。パドル体１５が最外部に位置することにより、駆動軸１４の外面から撹拌羽根１５ｂが突出するように設けられる。
図１に示す駆動軸１４は、各々撹拌羽根１５ｂを備えているものである。
【００１８】
図３は、電気かみそりの本体１０に刃ヘッド部２０を取り付けた状態の断面図（図１のＡ−Ａ線断面図）を示す。
１２ｂが刃受け台１２の底板であり、電気かみそりの本体１０と刃ヘッド部２０とを仕切るように設けられている。駆動軸１４は、底板１２ｂに設けられた貫通孔から突出する回転軸３０の先端部に駆動軸受け１８を固定することによって駆動機構と連繋する。底板１２ｂの貫通孔は、底板１２ｂの下面側（本体１０側）で、シール部材３２により、回転軸３０と底板１２ｂとの間で水密に封止される。
刃押し上げスプリング１７は回転軸３０の先端部と嵌合軸１６内面との間を弾発するように設けられ、これによって嵌合軸１６は回転軸３０に対してフローティングして支持される。
【００１９】
３４は本体１０に内蔵された電動モータである。電動モータ３４と回転軸３０とは、電動モータ３４の出力軸に固定されたギア３６ａ、共通ギア３６ｂ、回転軸３０に連結されたギア３６ｃを介して連繋する。
また、刃ヘッド部２０では、外刃枠２４に脱着可能に設けられている刃押さえ板（不図示）により内刃２３および内刃２３を介して支持される外刃２２が、揺動可能かつ軸線方向に可動に、すなわち刃ヘッド部２０から落下しないように支持されている。４２は内刃２３の中央部で内刃２３に固定された内刃基台である。内刃基台４２は樹脂からなり、その裏面側（下部側）に嵌合軸１６の先端に設けられた嵌合部１６０が係合する係合凹部が設けられている。
【００２０】
刃ヘッド部２０を刃受け台１２に装着することにより、内刃基台４２の係合凹部に嵌合軸１６の嵌合部１６０が係入して内刃２３が嵌合軸１６とともに一体に回転する。内刃２３の刃面は刃押し上げスプリング１７の弾発力によって嵌合軸１６および内刃基台４２を介して外刃２２の内面に常時摺接し、外刃２２および内刃２３が外刃枠２４から外方に突出する向きに付勢されて支持される。外刃２２にはスリット状の髭導入孔が設けられ、髭導入孔から外刃２２に進入した髭は外刃２２と内刃２３とによってカットされる。
【００２１】
こうして、刃ヘッド部２０が刃受け台１２に脱着自在に、刃ヘッド部２０を刃受け台１２に装着した際に、内刃２３と刃受け台１２の底面から突出する駆動軸１４とが係合可能となる。
図３に示すように、刃ヘッド部２０を刃受け台１２に装着した状態で刃ヘッド部２０と刃受け台１２との間には内部空間が形成され、この内部空間が毛屑を収納する空間となる。
なお、駆動軸１４に設けられたパドル体１５は、回転軸３０と一体回転する駆動軸受け１８に対しては外挿されているのみで、嵌合軸１６と係合した際に嵌合軸１６とともに一体回転する。すなわち、軸線方向に可動となっている嵌合軸１６が突出位置にある状態で嵌合軸１６とパドル体１５とが係合するように設けられている。
【００２２】
図４に、洗浄液５２を貯溜した洗浄槽５０を用いて回転式電気かみそりを洗浄している状態を示す。洗浄液５２中に刃ヘッド部２０を浸漬するようにして、電気かみそりのスイッチをＯＮにすると、内刃２３が回転駆動され内刃２３の回転とともにパドル体１５が回転する。そして、パドル体１５が回転することによって刃ヘッド部２０の内部で洗浄液が撹拌され、刃ヘッド部２０の内部に溜まっていた毛屑が洗浄液とともに、移動して、外刃２２に設けられたスリット孔から洗浄槽５０に排出される。
【００２３】
パドル体１５に設けた撹拌羽根１５ｂの作用は、まず第一に、刃ヘッド部２０の内部で洗浄液を撹拌させることによって毛屑を強制的に動かす作用であり、これによって刃ヘッド部２０の内部から毛屑を排出させやすくすることができ、毛屑の収納部の壁面に付着している毛屑を排出しやすくすることができる。
本実施形態では、撹拌羽根１５ｂが回転した際に、刃ヘッド部２０の内側から刃ヘッド部２０の外側へ向けて洗浄液を流出させるような作用が生じるようにして、洗浄液の流れとともに外刃２２に設けられているスリット孔から毛屑が洗浄槽５０に排出されるようにしている。このように、洗浄液を刃ヘッド部２０の外部に流すように撹拌羽根１５ｂを設けることによって、毛屑を効果的に排出させることができ、電気かみそりの洗浄を好適に行うことが可能となる。
【００２４】
このように、本実施形態の回転式電気かみそりは、電気かみそりを駆動した状態で刃ヘッド部２０の内側にたまっている毛屑を排出して電気かみそりを洗浄可能としたものであり、内刃２３を回転駆動する駆動軸１４に撹拌羽根１５ｂを備えたパドル体１５を設けることにより、駆動軸１４とともに回転する撹拌羽根１５ｂの作用により、洗浄液を強制的に撹拌し、刃ヘッド部２０の内側で洗浄液の流れを起こさせることで、洗浄液とともに毛屑を排出させるように構成したことを特徴とする。
本実施形態では駆動軸１４にパドル体１５を設け、パドル体１５に撹拌羽根１５ｂを形成する構成としたが、駆動軸１４の回転とともに洗浄液を撹拌し、洗浄液の流れを起こさせるものであれば、駆動軸１４に撹拌羽根を設ける構成はパドル体１５に設ける構成に限られるものではない。
【００２５】
また、上記実施形態の回転式電気かみそりは、回転刃を３個備えているが、回転式電気かみそりであれば回転刃の数はとくに限定されるものではなく、単数あるいは複数の回転刃を備えた回転式電気かみそりについて同様に適用することが可能である。
また、上記実施形態では洗浄槽に刃ヘッド部を浸漬させて洗浄する例について説明したが、電気かみそりを流水を用いて洗浄するような場合にもまったく同様に刃ヘッド部を流水中に浸漬させるようにすることで、同様に電気かみそりを洗浄することができる。
また、洗浄槽５０に超音波装置を付設しておき、洗浄液５２に刃ヘッド部２０を浸漬させて洗浄する際に超音波装置を作動させ、超音波の作用によって毛屑を収納部の内壁面から剥離させて、洗浄液５２とともに刃ヘッド部２０の外部に排出させるようにすることも可能である。
【００２６】
【発明の効果】
本発明に係る回転式電気かみそりによれば、上述したように、内刃を回転駆動する駆動軸に撹拌羽根を設け、撹拌羽根によって液体を撹拌させ、液体の流れを起こさせることによって、刃ヘッド部に浸漬された液体とともに毛屑を刃ヘッド部の外側に排出させるようにして洗浄するから、水洗いあるいは洗浄液を用いて洗浄する操作が好適に行える回転式電気かみそりとして提供することが可能となる。
【図面の簡単な説明】
【図１】本発明に係る回転式電気かみそりを刃受け台の正面方向から見た状態を示す説明図である。
【図２】回転式電気かみそりの駆動軸の組立斜視図と組み立て状態の駆動軸の斜視図である。
【図３】回転式電気かみそりの内部構造を示す断面図である。
【図４】回転式電気かみそりの使用状態を示す説明図である。
【図５】従来の回転式電気かみそりの使用状態を示す説明図である。
【図６】回転式電気かみそりの全体構成を示す斜視図である。
【符号の説明】
１０  本体
１２  刃受け台
１２ａ  底面
１２ｂ  底板
１４  駆動軸
１５  パドル体
１５ｂ  撹拌羽根
１６  嵌合軸
１６ａ  係合部
１７  刃押し上げスプリング
１８  駆動軸受け
２０  刃ヘッド部
２２  外刃
２３  内刃
２４  外刃枠
３０  回転軸
３４  電動モータ
４２  内刃基台
５０  洗浄槽
５２  洗浄液
【図１】
2004329479.tif 000003
【図２】
2004329479.tif 000004
【図３】
2004329479.tif 000005
【図４】
2004329479.tif 000006
【図５】
2004329479.tif 000007
【図６】
2004329479.tif 000008